(57)【要約】【課題】  情報配信サーバの様々な変化情報を入手することができると共に、その変化情報を高いリアルタイム性で携帯端末のユーザに知らせることができる情報配信システムを提供する。【解決手段】  腕時計１００と無線通信回線１０を介して接続された携帯電話２００と、ネットワーク通信回線３０を介して携帯電話２００と接続された情報配信サーバ３００Ａ〜３００Ｎとを具備する情報配信システムであって、携帯電話２００は、情報配信サーバ３００Ａ〜３００Ｎの変化情報を取得し、変化情報を腕時計１００に送信し、腕時計１００はその変化情報を表示する。【選択図】  図１
2007219823.tif 000002
【特許請求の範囲】
【請求項１】
携帯端末と、
無線通信回線を介して前記携帯端末と接続された携帯電話と、
ネットワーク通信回線を介して前記携帯電話と接続された情報配信サーバとを具備する情報配信システムであって、
前記携帯電話は、前記情報配信サーバの変化情報を取得する変化情報取得手段を有し、当該変化情報取得手段により得られた前記変化情報を前記携帯端末に送信し、
前記携帯端末は、送信された前記変化情報を表示することを特徴とする情報配信システム。
【請求項２】
請求項１に記載の情報配信システムにおいて、
前記携帯端末、前記携帯電話及び前記情報配信サーバは、それぞれの時刻を同期させる時計手段をそれぞれ有することを特徴とする情報配信システム。
【請求項３】
携帯端末と、
無線通信回線を介して前記携帯端末と接続された携帯電話と、
ネットワーク通信回線を介して前記携帯電話と接続された情報配信サーバと、
前記ネットワーク通信回線を介して前記携帯電話と前記情報配信サーバとに接続された変化情報検出サーバとを具備する情報配信システムであって、
前記変化情報検出サーバは、前記情報配信サーバの変化情報を取得する変化情報取得手段を有し、当該変化情報取得手段により得られた前記変化情報を前記携帯端末に送信し、
前記携帯端末は、送信された前記変化情報を表示することを特徴とする情報配信システム。
【請求項４】
請求項３に記載の情報配信システムにおいて、
前記携帯端末、前記携帯電話、前記情報配信サーバ及び変化情報検出サーバは、それぞれの時刻を同期させる時計手段をそれぞれ有することを特徴とする情報配信システム。
【請求項５】
請求項１〜４の何れかに記載の情報配信システムにおいて、
前記携帯端末は前記携帯端末のユーザに前記変化情報が携帯端末に受信されたことを知らせる報知手段を有することを特徴とする情報配信システム。
【請求項６】
請求項１〜５の何れかに記載の情報配信システムにおいて、
前記情報配信サーバの情報は、前記情報配信サーバが有するコンテンツの作成・更新・削除のうちの少なくとも１つであることを特徴とする情報配信システム。
【請求項７】
請求項１〜５に記載の情報配信システムにおいて、
前記情報配信サーバの情報は、前記情報配信サーバにアクセスしているユーザの接続状況であることを特徴とする情報配信システム。
【請求項８】
請求項７に記載の情報配信システムにおいて、
前記情報配信サーバは、当該情報配信サーバにアクセスしているユーザを認証する認証手段を有し、当該認証手段により認証されたユーザのみに当該情報配信サーバのアクセスを許諾することを特徴とする情報配信システム。
【請求項９】
携帯端末と、
無線通信回線を介して前記携帯端末と接続された携帯電話と、
ネットワーク通信回線を介して前記携帯電話と接続された情報配信サーバとを具備する情報配信システムであって、
前記携帯電話は、当該携帯電話の位置情報を取得する位置情報取得手段を有し、前記位置情報取得手段により得られた位置情報を前期情報配信サーバに送信し、
前記情報配信サーバは、地域情報を格納した地域情報データベースと、前記位置情報に基づいて前記地域情報データベースから前記携帯電話が存在する地域の地域情報を抽出する地域情報抽出手段とを有し、前記携帯電話を介して前記地域情報抽出手段により抽出された前記地域情報を携帯端末に送信し、
前記携帯端末は、送信された前記地域情報を表示することを特徴とする情報配信システム。
【請求項１０】
請求項１〜９の何れかに記載の情報配信システムにおいて、
前記携帯端末は腕時計であることを特徴とする情報配信システム。
【発明の詳細な説明】
【技術分野】
【０００１】
本発明は、情報配信システムに関し、特に情報配信サーバの変化情報を配信する情報配信システムに関する。
【背景技術】
【０００２】
近年、インターネットを介して多数の携帯電話やパーソナルコンピュータなどが接続されるようになり、多数の人々の間で様々な情報が大量に交換されるようになってきた。
【０００３】
例えば、人気のあるウェブページなどでは、その内容が頻繁に更新されており、よりリアルタイム性のある情報を発信することによって、その価値を高めている。また、掲示板では、テーマによってはさまざまな人からの書き込みが頻繁に行われ、活発な意見交換が行われることがある。さらに、著名人などのブログ（Ｂｌｏｇ）には、そのブログが更新された際に、多数の人からのアクセスが大量にあることが知られている。
【０００４】
このようなウェブページなどは不定期に更新される場合が多いので、ユーザは携帯電話やパーソナルコンピュータなどから各ウェブページなどにアクセスし、それらが更新されていないかを逐次確認するという煩雑な作業を行っていた。
【０００５】
このような煩雑な作業を簡略化するものとして、情報配信サーバのコンテンツの配信状況を管理する情報管理サーバを具備した情報配信システムが提案されている（例えば、特許文献１参照）。この配信システムは、ユーザ端末から希望するコンテンツの配信状況を情報管理サーバに要求することにより、新着の配信可能なコンテンツがあれば、その情報がユーザ端末に送信されるようになっている。そして、ユーザは、ユーザ端末に送信された情報に基づいて、ユーザが希望する情報を容易に取得することができる。
【特許文献１】２００５−２４２８７４号公報
【発明の開示】
【発明が解決しようとする課題】
【０００６】
しかしながら、上述したような情報配信システムでは、情報配信サーバに新たに更新されたコンテンツがある場合には、その更新情報を入手することができるが、別個の新しいコンテンツや、情報配信サーバに誰が現在アクセスしているかなどの情報を得ることができないという問題があった。また、更新情報が送信されるユーザ端末がパーソナルコンピュータはもとより、携帯電話などであっても、その携帯電話などが鞄などの中にあった場合には、ユーザは更新情報があることに気づかず、更新情報のリアルタイム性が損なわれるという問題があった。
【０００７】
本発明は、上述した事情に鑑み、情報配信サーバの様々な変化情報を入手することができると共に、その変化情報を高いリアルタイム性で携帯端末のユーザに知らせることができる情報配信システムを提供することを目的とする。
【課題を解決するための手段】
【０００８】
上記課題を解決する本発明の第１の態様は、携帯端末と、無線通信回線を介して前記携帯端末と接続された携帯電話と、ネットワーク通信回線を介して前記携帯電話と接続された情報配信サーバとを具備する情報配信システムであって、前記携帯電話は、前記情報配信サーバの変化情報を取得する変化情報取得手段を有し、当該変化情報取得手段により得られた前記変化情報を前記携帯端末に送信し、前記携帯端末は、送信された前記変化情報を表示することを特徴とする情報配信システムにある。
【０００９】
かかる第１の態様では、情報配信サーバの様々な変化情報を入手することができると共に、その変化情報を高いリアルタイム性で携帯端末のユーザに知らせることができる。
【００１０】
本発明の第２の態様は、第１の態様に記載の情報配信システムにおいて、前記携帯端末、前記携帯電話及び前記情報配信サーバは、それぞれの時刻を同期させる時計手段をそれぞれ有することを特徴とする情報配信システムにある。
【００１１】
かかる第２の態様では、それぞれの時刻を同期させることができ、正確な変化情報を携帯端末のユーザに知らせることができる。
【００１２】
本発明の第３の態様は、携帯端末と、無線通信回線を介して前記携帯端末と接続された携帯電話と、ネットワーク通信回線を介して前記携帯電話と接続された情報配信サーバと、前記ネットワーク通信回線を介して前記携帯電話と前記情報配信サーバとに接続された変化情報検出サーバとを具備する情報配信システムであって、前記変化情報検出サーバは、前記情報配信サーバの変化情報を取得する変化情報取得手段を有し、当該変化情報取得手段により得られた前記変化情報を前記携帯端末に送信し、前記携帯端末は、送信された前記変化情報を表示することを特徴とする情報配信システムにある。
【００１３】
かかる第３の態様では、第１の態様と同様に、情報配信サーバの様々な変化情報を入手することができると共に、その変化情報を高いリアルタイム性で携帯端末のユーザに知らせることができる。
【００１４】
本発明の第４の態様は、第３の態様に記載の情報配信システムにおいて、前記携帯端末、前記携帯電話、前記情報配信サーバ及び変化情報検出サーバは、それぞれの時刻を同期させる時計手段をそれぞれ有することを特徴とする情報配信システムにある。
【００１５】
かかる第４の態様では、それぞれの時刻を同期させることができ、正確な変化情報を携帯端末のユーザに知らせることができる。
【００１６】
本発明の第５の態様は、第１〜４の何れかの態様に記載の情報配信システムにおいて、前記携帯端末は前記携帯端末のユーザに前記変化情報が携帯端末に受信されたことを知らせる報知手段を有することを特徴とする情報配信システムにある。
【００１７】
かかる第５の態様では、携帯端末のユーザに、より高いリアルタイム性で変化情報の受信を知らせることができる。
【００１８】
本発明の第６の態様は、第１〜５の何れかの態様に記載の情報配信システムにおいて、前記情報配信サーバの情報は、前記情報配信サーバが有するコンテンツの作成・更新・削除のうちの少なくとも１つであることを特徴とする情報配信システムにある。
【００１９】
かかる第６の態様では、情報配信サーバのコンテンツの変化情報を取得することができると共に、そのコンテンツ変化情報を高いリアルタイム性で携帯端末のユーザに知らせることができる。
【００２０】
本発明の第７の態様は、第１〜５の何れかの態様に記載の情報配信システムにおいて、前記情報配信サーバの情報は、前記情報配信サーバにアクセスしているユーザの接続状況であることを特徴とする情報配信システムにある。
【００２１】
かかる第７の態様では、情報配信サーバにアクセスしているユーザの接続者情報を取得することができると共に、その接続者情報を高いリアルタイム性で携帯端末のユーザに知らせることができる。
【００２２】
本発明の第８の態様は、第７の態様に記載の情報配信システムにおいて、前記情報配信サーバは、当該情報配信サーバにアクセスしているユーザを認証する認証手段を有し、当該認証手段により認証されたユーザのみに当該情報配信サーバのアクセスを許諾することを特徴とする情報配信システムにある。
【００２３】
かかる第８の態様では、確実に情報配信サーバにアクセスしているユーザを特定することができる。
【００２４】
本発明の第９の態様は、携帯端末と、無線通信回線を介して前記携帯端末と接続された携帯電話と、ネットワーク通信回線を介して前記携帯電話と接続された情報配信サーバとを具備する情報配信システムであって、前記携帯電話は、当該携帯電話の位置情報を取得する位置情報取得手段を有し、前記位置情報取得手段により得られた位置情報を前期情報配信サーバに送信し、前記情報配信サーバは、地域情報を格納した地域情報データベースと、前記位置情報に基づいて前記地域情報データベースから前記携帯電話が存在する地域の地域情報を抽出する地域情報抽出手段とを有し、前記携帯電話を介して前記地域情報抽出手段により抽出された前記地域情報を携帯端末に送信し、前記携帯端末は、送信された前記地域情報を表示することを特徴とする情報配信システムにある。
【００２５】
かかる第９の態様では、携帯電話のユーザがいる地域の地域情報を取得することができると共に、その地域情報を高いリアルタイム性で携帯端末のユーザに知らせることができる。
【００２６】
本発明の第１０の態様は、第１〜９の何れかの態様に記載の情報配信システムにおいて、前記携帯端末は腕時計であることを特徴とする情報配信システムにある。
【００２７】
かかる第１０の態様では、その腕時計のユーザは受信した情報を容易に且つすぐに確認することができる。
【発明の効果】
【００２８】
本発明に係る情報配信システムによると、情報配信サーバの様々な変化情報を取得することができると共に、その変化情報を高いリアルタイム性で携帯端末のユーザに知らせることができる情報配信システムを提供することができる。
【発明を実施するための最良の形態】
【００２９】
以下、本発明を実施するための最良の形態について説明する。なお、本実施形態の説明は例示であり、本発明は以下の説明に限定されない。また、実施の形態では携帯端末を腕時計を用いて説明しているが、携帯端末は、腕時計１００の他にＰＤＡ、ノートパソコンや携帯電話など携帯できる端末とすることができる。
【００３０】
（実施形態１）
図１は、本発明の実施形態１に係る情報配信システムを示す概略図である。図１に示すように、本実施形態に係る情報配信システム１は、携帯端末である腕時計１００と、無線通信回線１０を介して腕時計１００と接続された携帯電話２００と、無線電話回線２０を介して携帯電話２００と接続された基地局５０と、ネットワーク通信回線３０を介して基地局５０と接続された複数の情報配信サーバ３００Ａ〜３００Ｎとを具備している。そして、複数の接続端末４００Ａ〜４００Ｎがネットワーク通信回線３０を介して携帯電話２００及び情報配信サーバ３００Ａ〜３００Ｎに接続されている。このように情報配信システム１を構築することにより、以下に説明するように、情報配信サーバ３００Ａ〜３００Ｎに現在接続している接続者の接続者情報を自動的に取得することができると共に、その変化情報を高いリアルタイム性で携帯端末が取得し、携帯端末のユーザに知らせることができるようになっている。
【００３１】
まず、情報配信サーバ３００Ａ〜３００Ｎについて説明する。これらの情報配信サーバ３００Ａ〜３００Ｎはすべて同じ構成であるので、以下では情報配信サーバ３００Ａについてのみ説明する。情報配信サーバ３００Ａは、図２に示すように、第１の通信手段３０１と、接続者認証手段３０２と、接続者情報記憶手段３０３と、時計手段３１０とを有する。
【００３２】
情報配信サーバ３００Ａは、第１の通信手段３０１によって、基地局５０、接続端末４００Ａ〜４００Ｎ、他の情報配信サーバ３００Ｂ〜３００Ｎ等にインターネット接続し、データの入出力を行う。
【００３３】
情報配信サーバ３００Ａは、接続者認証手段３０２によって、複数の接続端末４００Ａ〜４００Ｎの何れかを用いて情報配信サーバ３００Ａにアクセスしている接続者を特定する。情報配信サーバ３００Ａは、接続端末４００Ａ〜４００Ｎが情報配信サーバ３００Ａにアクセスしたときに、接続者のＩＤ（接続者ＩＤ）とパスワード（接続者パスワード）をアクセスした接続端末から取得する。そして、この取得された接続者ＩＤと接続者パスワードは接続者認定手段３０２に入力される。
【００３４】
接続者認定手段３０２は、ユーザー記憶手段と検索手段と比較手段とを有する。ユーザー記憶手段は、接続者のＩＤとそのＩＤに対応するパスワードを予め記憶させてある。例えば、ＩＤにポインタを付加してメモリに記憶し、そのポインタが指定するメモリアドレスにパスワードを記憶することでＩＤとパスワードを対応させて記憶させることができる。または、ＩＤにパスワードを付加させて記憶してもよい。接続者認定手段３０２に入力された接続者ＩＤは検索手段に入力される。接続者認定手段３０２に入力された接続パスワードは比較手段に入力される。検索手段は、接続者ＩＤを入力すると、その接続者ＩＤと同一のＩＤに対応するパスワードをユーザー記憶手段から検索し、検索したパスワード（検索結果パスワード）を比較手段に出力する。比較手段は接続者パスワードと検索結果パスワードを比較し一致か不一致かを判断する。接続者認定手段３０２は、比較手段の判断が一致の場合は接続端末のアクセスを許可し、不一致の場合は接続端末のアクセスを不許可とする出力を第１の通信手段に出力する。アクセスが許可された接続端末は情報配信サーバ３００Ａと情報の入出力が行われる。
【００３５】
また、情報配信サーバ３００Ａは、接続者情報記憶手段３０３により、接続者認証手段３０２によって特定された接続者が情報配信サーバ３００Ａにアクセスしていることを記憶することができるようになっている。接続者情報記憶手段３０３としてはメモリやハードディスクなどを割り当てることができる。そして、情報配信サーバ３００Ａは、接続者認証手段３０２によって特定された接続者の情報配信サーバ３００Ａへのアクセスが終了したときに、情報配信サーバ３００Ａは、接続者情報記憶手段３０３から、その接続者が情報配信サーバ３００Ａにアクセスが終了したことを記憶することができるようになっている。例えば、アクセスしている接続者のＩＤを接続者情報記憶手段３０３に記憶させることで、接続者認証手段３０２によって特定された接続者が情報配信サーバ３００Ａにアクセスしていることを記憶することとし、アクセスしている接続者のＩＤを接続者情報記憶手段３０３から削除させることで、接続者認証手段３０２によって特定された接続者が情報配信サーバ３００Ａからアクセスを終了したことを記憶することとすることができる。またこのとき別の態様として、アクセスしているか否かを示す接続フラグを設け、このフラグのオン／オフでアクセスと非アクセスの状態をあらわすようにし、この接続フラグを接続者情報記憶手段３０３へＩＤに付加して記憶させることもできる。また、別の態様として、接続者認証手段３０２によって特定された接続者が情報配信サーバ３００Ａにアクセスしていること、またはアクセスが終了したことを接続者情報記憶手段３０３に記憶するときに、そのときの時刻を時計手段３１０から取り出して接続者情報記憶手段３０３へ接続者のＩＤと対応させて記憶させる。こうすることで、いつだれが接続したかがわかる。例えば、ＩＤにポインタを付加して記憶させ、そのポインタが指定するメモリアドレスに時刻を記憶することでＩＤと時刻を対応させて記憶させることができ、相互に検索も可能である。または、ＩＤに時刻を付加させて記憶してもよい。
【００３６】
図３に示すフローチャートを用いて接続者情報記憶手段３０３の動作を説明する。接続端末４００Ａ〜４００Ｎのいずれかが情報配信サーバ３００Ａにアクセスを開始すると（Ｓ１−１）、情報配信サーバからアクセスを開始した接続端末４００Ａ〜４００Ｎに対して接続者のＩＤとパスワードの入力が求められる。アクセスを開始した接続端末から接続者がＩＤとパスワードを入力すると、接続端末から情報配信サーバ３００Ａへ接続者のＩＤとパスワードが送信される（Ｓ１−２）。
【００３７】
そして、情報配信サーバ３００Ａは、接続者のＩＤとパスワードを受信すると接続者認証手段３０２によって、入力されたパスワードが、アクセスしようとする接続者を認証するために、予め接続者認定手段３０２のユーザー記憶手段に記憶しておいたパスワードと一致するか否かが判断される（Ｓ１−３）。入力されたパスワードと予め記憶されていたパスワードが一致しない場合には、ステップＳ１−２に戻ることになる。一方、入力されたパスワードと予め記憶されていたパスワードとが一致した場合には、アクセスしようとする接続者は、アクセスを許可してもよいと判断され、「現在、その接続者は情報配信サーバ３００Ａにアクセスしている。」という接続者情報が接続者情報記憶手段３０３に記憶される（Ｓ１−４）。
【００３８】
そして、その接続者が情報配信サーバ３００Ａへのアクセスを終了すると（Ｓ１−５）、接続者情報記憶手段３０３は、「現在、その接続者は情報配信サーバ３００Ａへのアクセスを終了している。」という接続者情報が記憶される（Ｓ１−６）。
【００３９】
なお、情報配信サーバ３００Ａは、時計手段３１０により、後述する腕時計１００の時刻及び携帯電話２００の時刻に、情報配信サーバ３００Ａの時刻を同期させることができるようになっている。例えば、情報配信サーバ３００Ａと携帯電話２００間でのアクセスが許可され、情報配信サーバ３００Ａは時計手段３１０から時刻情報を読み出して、その時刻情報を携帯電話２００へ送信する。携帯電話２００は、受信した時刻情報に通信による遅れ時間を加えた時刻を、携帯電話２００の時計手段２１０の現在時刻として時刻修正することで時刻の同期をとることができる。他機器間でも同様の処理を行うことで、各機器間で時計手段の時刻同期をすることができる。
【００４０】
次に、上述した情報配信サーバ３００Ａ〜３００Ｎは基地局５０を介して携帯電話２００に接続され、情報配信サーバ３００Ａ〜３００Ｎが有する接続者情報が携帯電話２００に送信されるようになっている。以下に、この携帯電話２００について説明する。
【００４１】
携帯電話２００は、図４に示すように、第１の無線通信手段２０１と、無線電話通信手段２０２と、接続者情報取得手段２０３と、接続者情報通知手段２０４と、情報配信サーバ接続手段２０５と、情報配信サーバリスト２０６と、タイマー手段２０７と、時計手段２１０とを有している。そして、携帯電話２００は、以下に説明するように、基地局５０を介して情報配信サーバリスト２０６に書き込まれている情報配信サーバ３００Ａ〜３００Ｎと定期的に接続し、情報配信サーバ３００Ａ〜３００Ｎにアクセスしている接続者の接続者情報を取得し、得られた接続者情報を腕時計１００に送信することができるようになっている。以下では、基地局５０は、携帯電話２００とネットワーク通信回線３０とを接続するための装置である。また、情報配信サーバリスト２０６は情報配信サーバ３００Ａ〜３００ＮのＵＲＬ（ｕｎｉｆｏｒｍ  ｒｅｓｏｕｒｃｅ  ｌｏｃａｔｉｏｎ）が書き込まれたデータであり、携帯電話２００に内蔵されたメモリに記憶されているものとする。
【００４２】
第１の無線通信手段２０１は後述の腕時計１００の第２の無線通信手段１０１と無線通信、つまり無線通信回線１０で接続する。第１の無線通信手段２０１と第２の無線通信手段２０１とが無線通信回線１０によって接続されているときには、携帯電話２００と腕時計１００とがお互いにデータの入出力をする。例えば、第１の無線通信手段２０１と第２の無線通信手段２０１とはＢｌｕｅｔｏｏｔｈなどの近距離無線通信手段を用いることができる。
【００４３】
無線電話通信手段２０２は基地局５０と携帯電話通信を行う手段であり、携帯電話２００と基地局５０との間の無線電話回線２０である。携帯電話２００と基地局５０とが無線電話回線２０によって接続されているときには、お互いにデータの入出力を行う。無線電話通信手段２０２は、基地局５０との無線電話回線２０とネットワーク通信回線３０を介して、情報配信サーバ３００Ａ〜３００Ｎ、接続端末４００Ａ〜４００Ｎ、他の情報配信サーバ３００Ｂ等に接続し、情報の入出力を行う。
【００４４】
接続者情報取得手段２０３は、メモリから情報配信サーバリスト２０６の情報配信サーバ３００Ａ〜３００ＮのＵＲＬを抽出し、情報配信サーバ接続手段２０５へ出力する。また、接続者情報取得手段２０３は、情報配信サーバ接続手段２０５へ抽出したＵＲＬで指定される情報配信サーバと携帯電話２００とを接続するように指示を出力する。ここで、ＵＲＬの抽出はメモリに登録されている順に行われる。このとき別の形態としてＵＲＬのデータに優先順位のデータを予め付加しておき、その優先順位に従って抽出することもできる。
【００４５】
情報配信サーバ接続手段２０５は、接続者情報取得手段２０３の指示により、抽出したＵＲＬで指定される情報配信サーバと接続を行う。まず、携帯電話２００と基地局５０とを無線電話回線２０によって接続し、その先のネットワーク通信回線３０によって指定されたＵＲＬの情報配信サーバと接続し、データの入出力を可能にする。
【００４６】
タイマー手段２０７は時間間隔を設定すると、その時間間隔で定期的に割り込み信号を出力するタイマー手段である。
【００４７】
接続者情報通知手段２０４は、接続者情報取得手段２０３に記憶されている接続者情報を腕時計１００へ出力させる手段である。接続者情報通知手段２０４は第１の通信手段２０１を動作させ、腕時計１００と携帯電話２００とを無線通信回線１０によって接続し、相互にデータの入出力を可能にする。そして、接続者情報通知手段２０４は、接続者情報取得手段２０３に対して、記憶されている接続者情報を腕時計１００へ出力させる指示を行う。接続者情報取得手段２０３は、腕時計１００へ記憶している接続者情報を出力する指示が入力されると、腕時計１００へ無線通信回線１０を介して接続者情報を出力する。
【００４８】
図５は、携帯電話２００が情報配信サーバ３００Ａ〜３００Ｎにアクセスしているユーザの接続情報を取得するシーケンスを示す図である。図５に示すように、まず、接続者情報取得手段２０３は、携帯電話２００のメモリから記憶されている情報配信サーバリスト２０６の情報配信サーバ３００Ａ〜３００Ｎの何れかのＵＲＬを抽出する（Ｓ２−１）。次に、抽出したＵＲＬを情報配信サーバ接続手段２０５へ出力する。（Ｓ２−２）。
【００４９】
すると、情報配信サーバ接続手段２０５は、無線電話通信手段２０２を動作させ、携帯電話２００を基地局５０を介して、さらにネットワーク通信回線３０を介して、情報配信サーバ３００Ａ〜３００Ｎと接続を可能にする。そして、情報配信サーバ接続手段２０５は、抽出したＵＲＬで指定される情報配信サーバと接続し、その情報配信サーバと携帯電話２００との間でのデータの入出力を可能にする（Ｓ２−３）。
【００５０】
そして、接続者情報取得手段２０３は、接続された情報配信サーバに対して、その情報配信サーバの接続者情報記憶手段３０３により記憶されている接続者情報を、接続者情報取得手段２０３へ出力するように要求を出す。情報配信サーバは、その要求を受けると、接続者情報記憶手段３０３により記憶されている接続者情報を、接続者情報取得手段２０３へ出力する。接続者情報取得手段２０３はその接続者情報を入力し、記憶する。つまり、接続者情報が情報配信サーバ３００Ａから携帯電話２００に送信される（Ｓ２−４）。
【００５１】
そして、上述したステップＳ２−１〜Ｓ２−３が、情報配信サーバリスト２０６に書き込まれているすべての情報配信サーバ３００Ａ〜３００Ｎに対して行なわれる（Ｓ２−５）。
【００５２】
次に、接続者情報通知手段２０４は、第１の無線通信手段２０１を動作させ、携帯電話２００と腕時計１００との間で通信可能にする。そして、接続者情報通知手段２０４は、接続者情報取得手段２０３に対して、接続者情報取得手段２０３に記憶された接続者情報を腕時計１００へ出力させる。このようにして携帯電話２００に送信された接続者情報は、携帯電話２００の接続者情報通知手段２０４により、第１の無線通信手段２０１を用いて腕時計１００に送信される（Ｓ２−６）。
【００５３】
そして、上述したステップＳ２−１〜Ｓ２−６は、タイマー手段２０７により、定期的に行なわれる。タイマー手段２０７は１０分の時間間隔で、接続者情報取得手段２０３に対して動作するように指示を出力する。また、この時間間隔は設定により所定の値に変更できる。時間間隔が短いほど即時性に優れたシステムとなる。なお、携帯電話２００は、時計手段２１０により、上述した情報配信サーバ３００Ａの時計手段３１０と同様に、腕時計１００の時刻及び情報配信サーバ３００Ａ〜３００Ｎの時刻に、携帯電話２００の時刻を同期させることができるようになっている。
【００５４】
次に、携帯電話２００から送信された接続者情報は、腕時計１００に受信されるようになっている。図６は、腕時計１００の概略図である。図６に示すように、腕時計１００は、第２の無線通信手段１０１と、表示手段１０２と、報知手段１０３と、フィルタリング手段１０４と、時計手段１１０と、入力手段１１１と、制御手段１２０とを有し、制御手段１２０によりこれらを制御している。そして、腕時計１００は、表示手段１０２により、受信した接続者情報を表示することができるようになっている。ここで、本実施形態では、携帯端末として腕時計１００を用いているので、腕時計１００のユーザは受信した接続者情報を容易に且つすぐに確認することができるという効果を奏する。
【００５５】
第２の無線通信手段１０１は第１の無線通信手段２０１と通信を行う無線通信手段で、Ｂｌｕｅｔｏｏｔｈなどの近距離無線通信手段である。表示手段１０２は例えば液晶表示装置である。また、腕時計１００は、報知手段１０３により、腕時計１００のユーザに接続者情報を受信したことを知らせることができるようになっている。腕時計１００は携帯電話２００から接続者情報を受信すると、報知手段１０３を駆動させる。報知手段１０３としては、例えば振動モーター、警告ランプ、スピーカーなどが挙げられる。
【００５６】
さらに、腕時計１００は、フィルタリング手段１０４により、重要な接続者情報のみを表示することができるようになっている。すなわち、例えばフィルタリング手段１０４として、予め情報配信サーバ３００Ａ〜３００Ｎについて優先順位を設定しておくと共に、指示された条件によって検索する検索手段を有し、表示手段１０２によりその検索結果を表示し、そのときに表示する接続者情報の最大量を設定しておいた場合には、携帯電話２００から送信された接続者情報のうち、その最大量の範囲内で優先順位の高い情報配信サーバの接続者情報のみを検索し、表示手段１０２で表示することができる。このようなフィルタリング手段１０４を用いることにより、腕時計１００は優先順位の高い情報配信サーバの接続者情報のみを腕時計のユーザに表示することができる。
【００５７】
なお、腕時計１００は、時計手段１１０により、上述した情報配信サーバ３００Ａの時計手段３１０と同様に、携帯電話２００の時刻及び情報配信サーバ３００Ａ〜３００Ｎの時刻に、腕時計１００の時刻を同期させることができるようになっている。また、腕時計１００は、入力手段１１１により、腕時計１００に関する情報を入力することができるようになっている。例えば、上述したフィルタリング手段１０４の設定を入力することができる。
【００５８】
腕時計１００が携帯電話２００から送信された接続者情報を受信すると。腕時計１００の制御手段１２０に接続者情報が入力される。制御手段１２０は入力された接続者情報を表示手段１０２に出力し、表示手段１０２はその接続者情報を表示する。また、このとき、制御手段１２０は、フィルタリング手段１０４のフィルタリングの設定を確認するために、フィルタリング手段１０４に対してフィルタリングの設定の情報を制御手段１２０に出力する要求信号を出力し、その信号を受けたフィルタリング手段１０４が制御手段１２０に対してフィルタリングの設定を出力し、制御手段１２０がフィルタリングの設定を入力すると、制御手段１２０はその設定に従ってフィルタリングの処理を行う。
【００５９】
また、接続者認証手段３０２の別の形態としては、パスワード認証以外に、例えば指紋認証や虹彩認証などの生体認証などが挙げられる。
【００６０】
また、フィルタリング手段１０４は、送信された接続者情報を予め設定されたように加工することができるものであるので、上述したようなもの以外に、例えば、予め情報配信サーバの優先順位と腕時計１００の最低動作電源電圧とを設定しておき、定期的に腕時計１００の電源電圧を測定し、その最低動作電源電圧になった際には、携帯電話２００から送信された接続者情報を優先順位の上位３つの情報配信サーバの接続者情報のみに加工するプログラムなどが挙げられる。そして、最終的にその加工された接続者情報が表示手段１０２により表示されるようになる。
【００６１】
（実施形態２）
実施形態１に係る情報配信システムでは、携帯電話が情報配信サーバから接続者情報を取得するようになっていたが、図７に示すように、さらに変化情報検出サーバを設け、携帯電話ではなく、変化情報検出サーバが情報配信サーバから接続者情報を取得するようにしてもよい。図７は、本実施形態に係る情報配信システムの概略図である。図７に示すように、本実施形態に係る情報配信システム１Ａは、携帯端末である腕時計１００と、無線通信回線１０を介して腕時計１００と接続された携帯電話２００Ａと、無線電話回線２０を介して携帯電話２００Ａと接続された基地局５０と、ネットワーク通信回線３０を介して基地局５０と接続された複数の情報配信サーバ３００Ａ〜３００Ｎとを具備し、ネットワーク通信回線３０を介して基地局５０及び情報配信サーバ３００Ａ〜３００Ｎと接続された変化情報検出サーバ５００をさらに具備している。そして、複数の接続端末４００Ａ〜４００Ｎがネットワーク通信回線３０を介して携帯電話２００Ａ、情報配信サーバ３００Ａ〜３００Ｎ及び変化情報検出サーバ５００に接続されている。このように情報配信システム１Ａを構築することにより、実施形態１の情報配信システムと同様の効果を奏するようになっている。更に実施の形態１では携帯電話２００が行っていた処理を変化情報検出サーバ５００が行うので、実施の形態１の携帯電話２００より実施の形態２の携帯電話２００Ａの方が携帯電話の処理量を少なくすることができる。処理量を少なくすることは、処理能力の低いＩＣを使うことができ、コスト削減ができる。また、同じＩＣを使った場合、他の処理を多くすることができるので、その分だけ、付加機能を増やすことができるなどの効果を奏する。
【００６２】
情報配信サーバ３００Ａ〜３００Ｎのそれぞれは、実施形態１のものと同様に、接続者認証手段により、複数の接続端末４００Ａ〜４００Ｎの何れかを用いて情報配信サーバにアクセスしている接続者を特定すると共に、情報配信サーバ３００Ａ〜３００Ｎに配置された接続者情報記憶手段により、その接続者が情報配信サーバにアクセスしていることを記憶することができるようになっている。
【００６３】
そして、実施形態１では、携帯電話２００が、基地局５０を介して情報配信サーバリストに書き込まれているすべての情報配信サーバ３００Ａ〜３００Ｎと定期的に接続し、現在、情報配信サーバ３００Ａ〜３００Ｎにアクセスしている接続者の接続者情報を取得していたが、本実施形態では、以下に示すように、変化情報検出サーバ５００が情報配信サーバリストに書き込まれているすべての情報配信サーバ３００Ａ〜３００Ｎと定期的に接続し、現在、情報配信サーバ３００Ａ〜３００Ｎにアクセスしている接続者の接続者情報を取得して、その接続者情報を携帯電話２００Ａに送信するようになっている。
【００６４】
図８は変化情報検出サーバ５００の概略図である。図８に示すように、変化情報検出サーバ５００は、第３の通信手段５０１と、接続者情報取得手段５０３と、接続者情報送信手段５０４と、情報配信サーバ接続手段５０５と、情報配信サーバリスト５０６と、タイマー手段５０７と、時計手段５１０とを有している。変化情報検出サーバ５００は、例えば専用計算機や一般的なパーソナルコンピュータなどが挙げられる。そして、変化情報検出サーバ５００は、以下に説明するように、情報配信サーバリスト５０６に書き込まれているすべての情報配信サーバ３００Ａ〜３００Ｎと定期的に接続し、現在情報配信サーバ３００Ａ〜３００Ｎにアクセスしている接続者の接続者情報を取得すると共に得られた接続者情報を携帯電話２００Ａに送信することができるようになっている。以下では、情報配信サーバリスト５０６は、実施形態１のものと同様に、情報配信サーバ３００Ａ〜３００ＮのＵＲＬが変化情報検出サーバ５００のメモリに書き込まれたデータであるものとする。変化情報検出サーバ５００のメモリは、例えばハードディスクやＲＯＭやＲＡＭなどの記憶装置である。
【００６５】
第３の通信手段５０１は、ネットワーク通信手段３０に接続し、基地局５０を介して携帯電話２００Ａと接続し、携帯電話２００Ａと変化情報検出サーバ５００間でデータの入出力を行う。また、第３の通信手段５０１は、ネットワーク通信手段３０に接続し、接続端末４００Ａ〜４００Ｎと接続し、接続端末４００Ａ〜４００Ｎと変化情報検出サーバ５００間でデータの入出力を行う。また、第３の通信手段５０１は、ネットワーク通信手段３０に接続し、情報配信サーバ３００Ａ〜３００Ｎに接続し、情報配信サーバ３００Ａ〜３００Ｎと変化情報検出サーバ５００間でデータの入出力を行う。
【００６６】
接続者情報取得手段５０３は、メモリから情報配信サーバリスト２０６の情報配信サーバ３００Ａ〜３００ＮのＵＲＬを抽出し、情報配信サーバ接続手段５０５へ出力する。また、接続者情報取得手段５０３は、情報配信サーバ接続手段５０５へ、抽出したＵＲＬで指定される情報配信サーバと変化情報検出サーバ５００とを接続するように指示を出力する。ここで、ＵＲＬの抽出はメモリに登録されている順に行われる。このとき別の形態としてＵＲＬのデータに優先順位のデータを予め付加しておき、その優先順位に従って抽出することもできる。
【００６７】
情報配信サーバ接続手段５０５は、接続者情報取得手段５０３の指示により、抽出したＵＲＬで指定される情報配信サーバと接続を行う。まず、変化情報検出サーバ５００は第３の通信手段５０１によってネットワーク通信回線３０に接続され、指定されたＵＲＬの情報配信サーバと接続し、データの入出力を可能にする。
【００６８】
タイマー手段５０７は時間間隔を設定すると、その時間間隔で定期的に割り込み信号を出力するタイマー手段である。変化情報検出サーバ５００は、割り込み信号が発生すると、その割り込みに応じて処理を開始する。
【００６９】
接続者情報送信手段５０４は、接続者情報取得手段５０３に記憶されている接続者情報を携帯電話２００Ａへ出力させる手段である。接続者情報送信手段５０４は第３の通信手段５０１を動作させ、変化情報検出サーバ５００と携帯電話２００Ａとを無線通信回線１０によって接続し、相互にデータの入出力を可能にする。そして、接続者情報送信手段５０４は、接続者情報取得手段５０３に対して、記憶されている接続者情報を携帯電話２００Ａへ出力させる指示を行う。接続者情報取得手段５０３は、記憶している接続者情報を携帯電話２００Ａへ出力する指示を入力すると、ネットワーク通信回線３０と無線電話回線２０を介して接続者情報を携帯電話２００Ａへ出力する。
【００７０】
図９に示すように、まず、接続者情報取得手段５０３は、変化情報検出サーバ５００のメモリから記憶されている情報配信サーバリスト５０６の情報配信サーバ３００Ａ〜３００Ｎの何れかのＵＲＬを抽出する（Ｓ３−１）。次に、抽出したＵＲＬを情報配信サーバ接続手段５０５へ出力する。（Ｓ３−２）。
【００７１】
すると、情報配信サーバ接続手段５０５は、第３の通信手段５０１の動作を開始させ、ネットワーク通信回線３０を介して、情報配信サーバ３００Ａ〜３００Ｎと接続を可能にする。そして、情報配信サーバ接続手段２０５は、抽出したＵＲＬで指定される情報配信サーバと接続し、その情報配信サーバと変化情報検出サーバ５００との間でのデータの入出力を可能にする（Ｓ３−３）。
【００７２】
そして、接続者情報取得手段５０３は、接続された情報配信サーバに対して、その情報配信サーバの接続者情報記憶手段により記憶されている接続者情報を、接続者情報取得手段５０３へ出力するように要求を出す。情報配信サーバはその要求を受けると、接続者情報記憶手段により記憶されている接続者情報を、接続者情報取得手段５０３へ出力する。接続者情報取得手段５０３はその接続者情報を入力し、記憶する。つまり、接続者情報が情報配信サーバから変化情報検出サーバ５００に送信される（Ｓ３−４）。
【００７３】
そして、上述したステップＳ３−１〜Ｓ３−３が、情報配信サーバリスト５０６に書き込まれているすべての情報配信サーバ３００Ａ〜３００Ｎに対して行なわれる（Ｓ３−５）。
【００７４】
次に、接続者情報送信手段５０４は、第３の通信手段５０１を動作させ、変化情報検出サーバ５００と携帯電話２００Ａとの間で通信可能にする。そして、接続者情報送信手段５０４は、接続者情報取得手段５０３に対して、接続者情報取得手段５０３に記憶された接続者情報を携帯電話２００Ａへ出力させる。（Ｓ３−６）更に、このようにして携帯電話２００Ａに送信された接続者情報は、携帯電話２００Ａの接続者情報通知手段２０４により、第１の無線通信手段２０１を用いて腕時計１００に送信される（Ｓ３−７）。
【００７５】
そして、上述したステップＳ３−１〜Ｓ３−７は、タイマー手段５０７により、定期的に行なわれる。タイマー手段５０７は、例えば１０分の時間間隔で、接続者情報取得手段２０３に対して動作するように指示を出力する。また、この時間間隔は設定により所定の値に変更できる。なお、変化情報検出サーバ５００は、時計手段５１０により、上述した情報配信サーバ３００Ａの時計手段３１０と同様に、腕時計１００の時刻及び情報配信サーバ３００Ａ〜３００Ｎの時刻に、携帯電話２００の時刻を同期させることができるようになっている。
【００７６】
次に、変化情報検出サーバ５００から送信された接続者情報は、携帯電話２００Ａに受信されるようになっている。図１０は、携帯電話２００Ａの概略図である。図１０に示すように、携帯電話２００Ａは、第１の無線通信手段２０１と、無線電話通信手段２０２と、時計手段２１０とを有している。そして、携帯電話２００Ａは、第１の無線通信手段２０１により、無線電話通信手段２０２を用いて受信した接続者情報を腕時計１００に送信することができるようになっている。また、携帯電話２００Ａは、時計手段２１０により、上述した変化情報検出サーバ５００の時計手段５１０と同様に、腕時計１００の時刻、情報配信サーバ３００Ａ〜３００Ｎの時刻及び変化情報検出サーバ５００の時刻に、携帯電話２００Ａの時刻を同期させることができるようになっている。
【００７７】
そして、携帯電話２００Ａから送信された接続者情報は、腕時計１００に受信されるようになっており、腕時計１００は、実施形態１の腕時計と同様に、受信した接続者情報を表示することなどができるようになっている。
【００７８】
以上説明したように、情報配信システム１Ａを構築することにより、実施形態１の情報配信システムと同様の効果を奏する。更に実施の形態１では携帯電話２００が行っていた処理を変化情報検出サーバ５００が行うので、実施の形態１の携帯電話２００より実施の形態２の携帯電話２００Ａの方が携帯電話の処理量を少なくすることができる。
【００７９】
なお、本実施形態に係る情報配信システム１Ａを構成するその他の構成要素は、実施形態１に係る情報配信システムを構成する構成要素と同様であるので、同一符号を付して説明を省略する。
【００８０】
（実施形態３）
実施形態１及び２では、情報配信サーバに接続している接続者の接続者情報を腕時計１００に送信するようにしたが、情報配信サーバのコンテンツの変化情報を腕時計に送信するようにしてもよい。例えば、図１１に示すような情報配信システムを構成し、情報配信サーバ３００Ａ〜３００Ｎのコンテンツの変化情報を腕時計に送信するようにしてもよい。図１１は本実施形態に係る情報配信システムの概略図である。
【００８１】
図１１に示すように、本実施形態に係る情報配信システム１Ｂは、携帯端末である腕時計１００と、無線通信回線１０を介して腕時計１００と接続された携帯電話２００Ｂと、無線電話回線２０を介して携帯電話２００Ｂと接続された基地局５０と、ネットワーク通信回線３０を介して基地局５０と接続された複数の情報配信サーバ３００ａ〜３００ｎとを具備している。そして、このように情報配信システム１Ｂを構築することにより、以下に説明するように、情報配信サーバ３００ａ〜３００ｎのコンテンツの変化情報を取得することができると共に、その変化情報を高いリアルタイム性で腕時計１００のユーザに知らせることができるようになっている。
【００８２】
まず、情報配信サーバ３００ａ〜３００ｎについて説明する。これらの情報配信サーバ３００ａ〜３００ｎはすべて同じ構成であるので、以下では情報配信サーバ３００ａについてのみ説明する。情報配信サーバ３００ａは、図１２に示すように、第１の通信手段３０１と、時計手段３１０と、コンテンツ３２０とを有する。そして、情報配信サーバ３００ａは、第１の通信手段３０１を用いてネットワーク通信回線３０を介してコンテンツ３２０を公開している。なお、コンテンツ３２０は不定期に作成・更新・削除されるものである。また、情報配信サーバ３００ａは、時計手段３１０により、後述する腕時計１００の時刻及び携帯電話２００Ｂの時刻に、情報配信サーバ３００ａの時刻を同期させることができるようになっている。情報配信サーバ３００ａとしては、例えば専用計算機や一般的なパーソナルコンピュータなどが挙げられる。コンテンツ３２０は、特定人又は非特定人を問わず、第三者に公開する情報であれば特に限定されない。コンテンツ３２０としては、例えばいわゆるホームページ（ブログを含む）、チャット、掲示板などが挙げられる。なお、情報配信サーバ３００ａを構成するその他の構成要素については、実施形態１のものと同様であるので、同一符号を付して説明を省略する。
【００８３】
そして、上述したように公開されているコンテンツ３２０は、携帯電話２００Ｂにより変化があったか否かがチェックされ、コンテンツ３２０に更新・削除などの変化があった場合には、その情報を腕時計１００に送信するようになっている。
【００８４】
図１３は、その携帯電話２００Ｂの概略図である。図１３に示すように、携帯電話２００Ｂは、第１の無線通信手段２０１と、無線電話通信手段２０２と、コンテンツ変化情報取得手段２０３Ｂと、コンテンツ変化情報通知手段２０４Ｂと、情報配信サーバ接続手段２０５Ｂと、情報配信サーバリスト２０６Ｂと、タイマー手段２０７と、時計手段２１０とを有している。
【００８５】
コンテンツ変化情報取得手段２０３Ｂは、情報配信サーバ３００ａ〜３００ｎのコンテンツに変化があったか否かをチェックし、変化があった場合にはどのような変化があったというコンテンツ変化情報を取得する手段である。コンテンツ変化情報取得手段２０３Ｂとしては、例えば、コンテンツが通常のファイルである場合には、そのコンテンツのサイズ（ファイルサイズ）をチェックして、前回チェックした時のコンテンツのサイズよりも異なっていたときに、「コンテンツが更新されている」というコンテンツ変化情報を取得するようなプログラムや、コンテンツがブログである場合にはＲＳＳ（Ｒｅａｌｌｙ  Ｓｉｍｐｌｅ  Ｓｙｎｄｉｃａｔｉｏｎ，  Ｒｉｃｈ  Ｓｉｔｅ  Ｓｕｍｍａｒｙ）をチェックして、前回チェックした時のＲＳＳと異なっていたときに、「コンテンツが更新されている」というコンテンツ変化情報を取得するようなプログラムなどが挙げられる。接続した情報配信サーバのコンテンツに変化があった場合に、変化情報をコンテンツ変化情報として、コンテンツ変化情報取得手段２０３Ｂに配置されているメモリに記憶する。
【００８６】
そして、携帯電話２００Ｂは、以下に説明するように、基地局５０を介して情報配信サーバリスト２０６Ｂに書き込まれているすべての情報配信サーバ３００Ａ〜３００Ｎと定期的に接続し、情報配信サーバ３００ａ〜３００ｎのコンテンツに変化があったか否かをチェックし、変化があった場合にはどのような変化があったというコンテンツ変化情報を取得すると共に得られたコンテンツ変化情報を腕時計１００に送信することができるようになっている。以下では、基地局５０は、携帯電話２００Ｂとネットワーク通信回線３０とを接続するための装置であり、情報配信サーバリスト２０６Ｂは携帯電話２００Ｂのメモリに記憶された情報配信サーバ３００ａ〜３００ｎのＵＲＬが書き込まれたデータであるものとする。
【００８７】
また、コンテンツ変化情報取得手段２０３Ｂは、メモリから情報配信サーバリスト２０６Ｂの情報配信サーバ３００ａ〜３００ｎのＵＲＬを抽出し、情報配信サーバ接続手段２０５Ｂへ出力する。そして、コンテンツ変化情報取得手段２０３Ｂは、情報配信サーバ接続手段２０５Ｂへ抽出したＵＲＬで指定される情報配信サーバと携帯電話２００Ｂとを接続するように指示を出力する。ここで、ＵＲＬの抽出はメモリに登録されている順に行われる。このとき別の形態としてＵＲＬのデータに優先順位のデータを予め付加しておき、その優先順位に従って抽出することもできる。
【００８８】
情報配信サーバ接続手段２０５Ｂは、コンテンツ変化情報取得手段２０３Ｂの指示により、抽出したＵＲＬで指定される情報配信サーバと接続を行う。まず、携帯電話２００Ｂと基地局５０とを無線電話回線２０によって接続し、その先のネットワーク通信回線３０によって指定されたＵＲＬの情報配信サーバと接続し、データの入出力を可能にする。
【００８９】
タイマー手段２０７は時間間隔を設定すると、その時間間隔で定期的に割り込み信号を出力するタイマー手段である。
【００９０】
コンテンツ変化情報通知手段２０４Ｂは、コンテンツ変化情報取得手段２０３Ｂに記憶されているコンテンツの変化情報を腕時計１００へ出力させる手段である。コンテンツ変化情報通知手段２０４Ｂは第１の通信手段２０１を動作させ、腕時計１００と携帯電話２００Ｂとを無線通信回線１０によって接続し、相互にデータの入出力を可能にする。そして、コンテンツ変化情報通知手段２０４Ｂは、コンテンツ変化情報取得手段２０３Ｂに対して、記憶されているコンテンツ変化情報を腕時計１００へ出力させる指示を行う。コンテンツ変化情報取得手段２０３Ｂは、腕時計１００へ記憶しているコンテンツ変化情報を出力する指示を入力すると、腕時計１００へ無線通信回線１０を介してコンテンツ変化情報を出力する。
【００９１】
図１４は、携帯電話２００Ｂが情報配信サーバ３００ａ〜３００ｎのコンテンツのコンテンツ変化情報を取得するシーケンスを示す図である。図１４に示すように、まず、コンテンツ変化情報取得手段２０３Ｂは、携帯電話２００Ｂのメモリから記憶されている情報配信サーバリスト２０６Ｂの情報配信サーバ３００ａ〜３００ｎの何れかのＵＲＬを抽出する（Ｓ４−１）。次に、抽出したＵＲＬを情報配信サーバ接続手段２０５Ｂへ出力する（Ｓ４−３）。
【００９２】
すると、情報配信サーバ接続手段２０５Ｂは、無線電話通信手段２０２を動作させ、基地局５０を介して携帯電話２００Ｂと接続し、さらにネットワーク通信回線３０を介して、情報配信サーバ３００ａ〜３００ｎと接続を可能にする。そして、情報配信サーバ接続手段２０５Ｂは、抽出したＵＲＬで指定される情報配信サーバと接続し、その情報配信サーバと携帯電話２００Ｂとの間でのデータの入出力を可能にする（Ｓ４−３）。
【００９３】
そして、コンテンツ変化情報取得手段２０３Ｂは、接続された情報配信サーバに対して、コンテンツが変化したか否かを検出し、その変化情報をコンテンツ変化情報取得手段２０３Ｂに記憶する。つまり、情報配信サーバのコンテンツ変化情報が携帯電話２００に送信される（Ｓ４−４）。
【００９４】
そして、上述したステップＳ４−１〜Ｓ４−３が、情報配信サーバリスト２０６Ｂに書き込まれているすべての情報配信サーバ３００ａ〜３００ｎに対して行なわれる（Ｓ４−５）。
【００９５】
次に、コンテンツ変化情報通知手段２０４Ｂは、第１の無線通信手段２０１を動作させ、携帯電話２００Ｂと腕時計１００との間で通信可能にする。そして、コンテンツ変化情報通知手段２０４Ｂは、コンテンツ変化情報取得手段２０３Ｂに対して、コンテンツ変化情報取得手段２０３Ｂに記憶されたコンテンツ変化情報を腕時計１００へ出力させる。このようにして携帯電話２００Ｂに送信されたコンテンツ変化情報は、携帯電話２００Ｂのコンテンツ変化情報通知手段２０４Ｂにより、第１の無線通信手段２０１を用いて腕時計１００に送信される（Ｓ４−６）。
【００９６】
そして、上述したステップＳ４−１〜Ｓ４−６は、タイマー手段２０７により、定期的に行なわれる。タイマー手段２０７は１０分の時間間隔で、コンテンツ変化情報取得手段２０３Ｂに対して動作するように指示を出力する。また、この時間間隔は設定により所定の値に変更できる。なお、携帯電話２００Ｂは、時計手段２１０により、上述した情報配信サーバ３００ａの時計手段３１０と同様に、腕時計１００の時刻及び情報配信サーバ３００ａ〜３００ｎの時刻に、携帯電話２００Ｂの時刻を同期させることができるようになっている。
【００９７】
なお、本実施形態に係る情報配信システム１Ｂを構成するその他の構成要素は、実施形態１に係る情報配信システム１を構成する構成要素と同様であるので、同一符号を付して説明を省略する。
【００９８】
（実施形態４）
実施形態１〜３に係る情報配信システムでは、情報配信サーバの変化情報を取得して腕時計に送信するようにしていたが、本発明はこれに限定されない。例えば、以下に示すように、携帯電話にＧＰＳ（Ｇｌｏｂａｌ  Ｐｏｓｉｔｉｏｎｉｎｇ  Ｓｙｓｔｅｍ）などを具備させ、ＧＰＳなどにより検出された位置情報に基づいて、その携帯電話の周辺地域に関する情報を外部の情報配信サーバから取得して腕時計に送信するようにしてもよい。
【００９９】
図１５は、本実施形態に係る情報配信システムの概略図である。図１５に示すように、本実施形態に係る情報配信システム１Ｃは、携帯端末である腕時計１００と、無線通信回線１０を介して腕時計１００と接続された携帯電話２００Ｃと、無線電話回線２０を介して携帯電話２００Ｃと接続された基地局５０と、ネットワーク通信回線３０を介して基地局５０と接続された複数の情報配信サーバ３００Ａ’〜３００Ｎ’とを具備している。そして、このように情報配信システム１Ｃを構築することにより、以下に説明するように、携帯電話２００Ｃの位置情報に基づいて、携帯電話２００Ｃが存在する地域に関する地域情報を情報配信サーバから取得して腕時計１００に送信することができるようになっている。
【０１００】
まず、情報配信サーバ３００Ａ’について説明する。これらの情報配信サーバ３００Ａ’〜３００Ｎ’はすべて同じ構成であるので、以下では情報配信サーバ３００Ａ’についてのみ説明する。情報配信サーバ３００Ａ’は、図１６に示すように、第１の通信手段３０１と、時計手段３１０と、地域情報データベース３３０と、地域情報抽出手段３３１とを有する。そして、情報配信サーバ３００Ａ’は、第１の通信手段３０１を用いてネットワーク通信回線３０を介して地域情報データベース３３０を公開している。また、情報配信サーバ３００Ａ’は、携帯電話２００Ｃの位置情報に基づいて、地域情報抽出手段３３１により地域情報データベース３３０に格納された地域情報データを抽出することができると共に、携帯電話２００Ｃにその地域情報データを送信することができるようになっている。さらに、情報配信サーバ３００Ａ’は、時計手段３１０により、後述する腕時計１００の時刻及び携帯電話２００Ｃの時刻に、情報配信サーバ３００Ａ’の時刻を同期させることができるようになっている。
【０１０１】
そして、このような携帯電話２００Ｃは、携帯電話２００Ｃの位置情報に基づいて、情報配信サーバ３００Ａ’の地域情報データベース３３０に格納された地域情報データを取得することができると共に、その地域情報データを腕時計１００に送信することができるようになっている。
【０１０２】
図１７は、携帯電話２００Ｃの概略図である。図１７に示すように、携帯電話２００Ｃは、第１の無線通信手段２０１と、無線電話通信手段２０２と、地域情報取得手段２０３Ｃと、地域情報通知手段２０４Ｃと、情報配信サーバ接続手段２０５Ｃと、情報配信サーバリスト２０６Ｃと、タイマー手段２０７と、時計手段２１０と、位置情報取得手段２２０とを有する。位置情報取得手段２２０は、例えばＧＰＳであり、ＧＰＳ衛星から受信した電波を解析、演算することで緯度と経度と高度の情報を求め、携帯電話２００Ｃの存在する位置情報である位置データを、位置情報取得手段２２０に記憶する。そして、携帯電話２００Ｃは、以下に説明するようにして、位置情報取得手段２２０により取得された位置情報に基づいて、情報配信サーバ３００Ａ’の地域情報データベース３３０から携帯電話が存在する地域の地域情報を取得すると共に、その地域情報を腕時計１００に送信することができるようになっている。以下では、情報配信サーバリスト２０６Ｃは携帯電話２００Ｃのメモリに記憶されている情報配信サーバ３００Ａ’〜３００Ｂ’のＵＲＬが書き込まれたデータであるものとする。
【０１０３】
図１８は、携帯電話２００Ｃが、位置情報取得手段２２０により取得した位置情報に基づいて、情報配信サーバ３００Ａ’の地域情報データベース３３０から携帯電話が存在する地域の地域情報を取得すると共に、その地域情報を腕時計１００に送信するシーケンスを示す図である。
【０１０４】
図１８に示すように、まず、位置情報取得手段２２０により、携帯電話２００Ｃの位置データが得られる。そして、得られた位置データは位置情報取得手段２２０に記憶される。（Ｓ５−１）。次に、地域情報取得手段２０３Ｃは、情報配信サーバ接続手段２０５Ｃに対して、携帯電話２００Ｃのメモリに記憶されている情報配信サーバリスト２０６Ｃから情報配信サーバ３００Ａ’〜３００Ｎ’のいずれかを抽出して、接続するように指示を出力する。情報配信サーバ接続手段２０５Ｃからの指示信号により無線電話通信手段２０２は、情報配信サーバリスト２０６Ｃのデータから抽出されたＵＲＬで示される情報配信サーバと携帯電話２００Ｃとが基地局５０を介して接続させる。（Ｓ５−２）。
【０１０５】
そして、携帯電話２００Ｃは、地域情報取得手段２０３Ｃにより記憶されている現在位置である位置データを、情報配信サーバ３００Ａ’に送信する（Ｓ５−３）。情報配信サーバＡ’は、受信した位置データを地域情報抽出手段３３１に入力する。地域情報抽出手段３３１は、地域情報データベース３３０から入力された位置データに一致する地域情報を抽出する。例えば、位置データと一致する地域情報だけでなく、位置データから半径５０ｍ以内に存在する地域情報など、位置データに基づいて所定の範囲に入る地域情報を抽出することができる。これは、地域情報データベース３３０のデータが、位置データと地域情報を関連付けて記憶させておき、更に位置データに所定の範囲を加えた範囲の地域情報を検索することで実現できる。地域情報抽出手段３３１で抽出された地域情報は、携帯電話２００Ｃへ送信される（Ｓ５−４）。
【０１０６】
そして、上述したステップＳ５−１〜Ｓ５−４が、情報配信サーバリスト２０６Ｃに書き込まれているすべての情報配信サーバ３００Ａ’〜３００Ｎ’に対して行なわれる（Ｓ５−５）。
【０１０７】
次に、地域情報通知手段２０４Ｃが第１の無線通信手段２０１に対して、携帯電話２００Ｃと腕時計１００とを無線通信回線１０を介して接続するための接続要求信号を出力する。その信号を受けた第１の無線通信手段２０１は腕時計１００と通信を行い、接続し、携帯電話２００Ｃと腕時計１００との間においてデータの入出力を可能とする。次に、地域情報通知手段２０４Ｃは、地域情報取得手段２０３Ｃに記憶された携帯電話２００Ｃの位置データに対応する地域情報を、腕時計１００に送信する（Ｓ５−６）。
【０１０８】
そして、上述したステップＳ５−１〜Ｓ５−６は、タイマー手段２０７により、定期的に行なわれる。なお、携帯電話２００Ｃは、時計手段２１０により、上述した情報配信サーバ３００Ａ’の時計手段３１０と同様に、腕時計１００の時刻及び情報配信サーバ３００Ａ’〜３００Ｎ’の時刻に、携帯電話２００Ｃの時刻を同期させることができるようになっている。
【０１０９】
ここで、地域情報データベース３３０は、様々な地域の地域情報を格納するものである。地域情報データベースとしては、例えばある区画で仕切られた地域ごとの位置情報と、その位置情報に付加して地下鉄・鉄道の時刻表データ、その地域に存在する飲食店に関するデータ、その地域の交通状況データなどが記憶されているデータベースである。したがって、情報配信サーバとして、地下鉄・鉄道のスケジュールを公開しているサーバを指定しておくことにより、携帯電話２００Ｃのユーザは、定期的にユーザがいる場所の近くの地下鉄・鉄道のスケジュールなどを腕時計１００で容易に確認することができる。
【０１１０】
地域情報抽出手段３３１は、携帯電話２００Ｃから送信された位置データと一致するかまたは所定の距離にある地域情報を地域情報データベース３３０から検索し、携帯電話の有する位置データに基づいて、その地域の地域情報を抽出することができる手段である。地域情報抽出手段３３１で抽出された地域情報は、ネットワーク通信回線３０を介して、携帯電話２００Ｃへ送信される。地域情報抽出手段３３１としては、上述したような機能を有するプログラムなどが挙げられる。
【０１１１】
なお、その他の情報配信サーバ３００Ａ’〜３００Ｎ’を構成する構成要素は、実施形態１の情報配信サーバと同様であるので、同一符号を付して説明を省略する。
【０１１２】
また、情報配信サーバリスト２０６Ｃは、地域情報データベースを有する情報配信サーバに関する情報が書き込まれているデータである。情報配信サーバリスト２０６Ｃとしては、例えばある区画で仕切られた地域の地下鉄・鉄道の時刻表データを格納したデータベースを有する情報配信サーバ、その地域に存在する飲食店に関するデータを格納するデータベースを有す情報配信サーバ、又はその地域の交通状況データを格納するデータベースを有する情報配信サーバのＵＲＬやＩＰアドレスが列挙されているデータなどが挙げられる。地下鉄・鉄道の時刻表データを格納したデータベースを有する情報配信サーバを使えば、駅の近くまで来ているときにすぐに時刻表が見られ、乗り遅れなどを防止できる。また、その地域に存在する飲食店に関するデータを格納するデータベースを有す情報配信サーバを使えば、近くにある店の存在やサービスの情報などを得られる。その地域の交通状況データを格納するデータベースを使えば、事故や渋滞状況を把握しそれを回避できる。
【０１１３】
なお、本実施形態に係る情報配信システム１Ｃを構成するその他の構成要素は、実施形態１に係る情報配信システムを構成する構成要素と同様であるので、同一符号を付して説明を省略する。
【０１１４】
（他の実施形態）
上述した実施形態１及び２では、情報配信サーバの認証手段により認証をされた接続者のみに情報配信サーバにアクセスすることを許諾していた。しかしながら、情報配信サーバに認証手段を具備させず、不特定の人が情報配信サーバにアクセスできるようにし、それら不特定の人が情報配信サーバにアクセスしていることを携帯端末に表示させるようにしてもよい。
【０１１５】
また、上述した実施形態３及び４の情報配信サーバに格納されているコンテンツや地域情報は、各情報配信サーバで異なっていてもよいし、同じであってもよい。
【図面の簡単な説明】
【０１１６】
【図１】実施形態１に係る情報配信システムを示す概略図である。
【図２】実施形態１に係る情報配信サーバを示す概略図である。
【図３】実施形態１に係る情報配信サーバのシーケンスを示す図である。
【図４】実施形態１に係る携帯電話を示す概略図である。
【図５】実施形態１に係る携帯電話のシーケンスを示す図である。
【図６】実施形態１に係る腕時計を示す概略図である。
【図７】実施形態２に係る情報配信システムを示す概略図である。
【図８】実施形態２に係る変化情報検出サーバを示す概略図である。
【図９】実施形態２に係る変化情報検出サーバのシーケンスを示す図である。
【図１０】実施形態２に係る携帯電話を示す概略図である。
【図１１】実施形態３に係る情報配信システムを示す概略図である。
【図１２】実施形態３に係る情報配信サーバを示す概略図である。
【図１３】実施形態３に係る携帯電話を示す概略図である。
【図１４】実施形態３に係る携帯電話のシーケンスを示す図である。
【図１５】実施形態４に係る情報配信システムを示す概略図である。
【図１６】実施形態４に係る情報配信サーバを示す概略図である。
【図１７】実施形態４に係る携帯電話を示す概略図である。
【図１８】実施形態３に係る携帯電話のシーケンスを示す図である。
【符号の説明】
【０１１７】
１、１Ａ、１Ｂ、１Ｃ  情報配信システム
１０  無線通信回線
２０  無線電話回線
３０  ネットワーク通信回線
５０  基地局
１００  腕時計
１０１  第２の無線通信手段
１０２  表示手段
１０３  報知手段
１０４  フィルタリング手段
１１０、２１０、３１０、５１０  時計手段
１１１  入力手段
１２０  制御手段
２００、２００Ａ、２００Ｂ、２００Ｃ  携帯電話
２０１  第１の無線通信手段
２０２  無線電話通信手段
２０３  接続者情報取得手段
２０３Ｂ  コンテンツ変化情報取得手段
２０３Ｃ  地域情報取得手段
２０４  接続者情報通知手段
２０４Ｂ  コンテンツ変化情報通知手段
２０４Ｃ  地域情報通知手段
２０５、２０５Ｂ、２０５Ｃ  情報配信サーバ接続手段
２０６、２０６Ｂ、２０６Ｃ  情報配信サーバリスト
２０７、５０７  タイマー手段
２２０  位置情報取得手段
３００Ａ〜３００Ｎ、３００ａ〜３００ｎ、３００Ａ’〜３００Ｎ’  情報配信サーバ
３０１  第１の通信手段
３０２  接続者認証手段
３０３  接続者情報記憶手段
３０４  時計手段
３１０  時計手段
３２０  コンテンツ
３３０  地域情報データベース
３３１  地域情報抽出手段
４００Ａ〜４００Ｎ  接続端末
５００  変化情報検出サーバ
５０１  第３の通信手段
５０３  接続者情報取得手段
５０４  接続者情報送信手段
５０５  情報配信サーバ接続手段
５０６  情報配信サーバリスト
【図１】
2007219823.tif 000003
【図２】
2007219823.tif 000004
【図３】
2007219823.tif 000005
【図４】
2007219823.tif 000006
【図５】
2007219823.tif 000007
【図６】
2007219823.tif 000008
【図７】
2007219823.tif 000009
【図８】
2007219823.tif 000010
【図９】
2007219823.tif 000011
【図１０】
2007219823.tif 000012
【図１１】
2007219823.tif 000013
【図１２】
2007219823.tif 000014
【図１３】
2007219823.tif 000015
【図１４】
2007219823.tif 000016
【図１５】
2007219823.tif 000017
【図１６】
2007219823.tif 000018
【図１７】
2007219823.tif 000019
【図１８】
2007219823.tif 000020